(57)【要約】      （修正有）【課題】ネジ、釘を使用せずに組立を完成することができ、使用後破損によりネジ、釘の露出などの問題を避けることができる組立式パレットの構造を提供する。【解決手段】組立式パレットの構造は、複数の直立板１(桁)、複数のデッキボード２、複数の第一コの字型連結パーツ３で構成される。主にモジュール化生産及び組立のコンセプトにより、ユーザーは任意に異なる数量のデッキボード２、直立板１で組み立てることができ、必要とする積載面積或いは積載量に見合うパレットができる。組み立てる過程において、各第一コの字型連結パーツ３を通じて、適切な各穴に挿入することで、各フック３１をそれぞれ各切欠口１２１の縁に引っ掛ける。【選択図】図３
0003228552.tif 000002
【実用新案登録請求の範囲】
【請求項１】
複数の直立板(桁)、複数のデッキボード、複数の第一コの字型連結パーツを含み、
前記複数の直立板(桁)は、各直立板に沿って相反する二つの長い辺の縁部分にそれぞれ一つの横板を設け、各横板は長い辺に沿って互いに間隔を開けて複数の差込口グループを設け、各差込み口グループはそれぞれ二つの切欠口を有し、各切欠口はそれぞれ各横板の短い辺に沿って互いに間隔を開けて設置し、
前記複数のデッキボードは、各デッキボードは長い辺に沿って互いに間隔を開けて複数の切欠槽を設け、且つ各切欠槽はそれぞれ各切欠槽の底壁を貫通する二つの穴を設け、各穴はそれぞれ各デッキボードの短い辺に沿って互いに間隔を開けて設置し、
前記複数の第一コの字型連結パーツは、各第一コの字型連結パーツの二つの相反する直立壁の底縁には、それぞれ一つのフックを設け、各第一コの字型連結パーツは適切な各穴に挿入するものであり、各フックはそれぞれ各切欠口の縁を引っ掛ける
ことを特徴とする組立式パレットの構造。
【請求項２】
前記各第一コの字型連結パーツの相反する二つの直立壁の外側にそれぞれ一つの第一掛合部品を設け、更に複数の第二コの字型連結パーツを設け、各第二コの字型連結パーツの内縁は各第一コの字型連結パーツの外縁と互いに対応し、且つ各第二コの字型連結パーツと相反する二つの直立壁の内側にそれぞれ一つの第二掛合部品を設け、各第二コの字型連結パーツは適切な各穴に挿入するものであり、それにより各第二コの字型連結パーツをそれぞれ各第一コの字型連結パーツの外側に套設することで、各第一掛合部品と各第二掛合部品が掛合を形成する
ことを特徴とする請求項１記載の組立式パレットの構造。
【請求項３】
前記各フックを該直立板の縁辺に向け、及び各第二コの字型連結パーツの直立壁を該直立板の底縁に向け、それぞれ一つのアーク縁にする
ことを特徴とする請求項２記載の組立式パレットの構造。
【請求項４】
前記各直立板の長い辺の片側にそれぞれ互いに間隔を開けて二本の棒状孔を設ける
ことを特徴とする請求項１〜請求項３のいずれか一項に記載の組立式パレットの構造。
【請求項５】
前記各直立板はそれぞれ短い辺に沿って互いに間隔を開けて一つの第一強化リブを設ける
ことを特徴とする請求項４記載の組立式パレットの構造。
【請求項６】
前記各棒状孔の孔縁に一つの第二強化リブを設ける
ことを特徴とする請求項５記載の組立式パレットの構造。
【考案の詳細な説明】
【技術分野】
【０００１】
本考案は一種のパレットの構造に関し、特に組立式パレットの構造に関する。
【背景技術】
【０００２】
台湾特許申請案第Ｍ５７８２６９号の「パレット」の掲示では、複数個の底板、複数個の座体、複数個のサポートボード、複数個キャリアボード及び複数個の頂部固定パーツを設け、中でも該複数個の底板は互いに間隔を開けて配列して設置する。該複数個の座体をうちの複数個の座体を一つの底板に結合し、互いに間隔を開けて設置する。そのうち複数個の座体は直線に配列し、各座体はパーチクルボード、密集板、合板、松の木或いはその他の無垢材などの材料の中から、少なくとも二種類の材料を混ぜて作られる部材である。各サポートボードを該複数個の座体の中の、複数個の直線に配列する座体に結合する。各キャリアボードを該複数個のサポートボードに結合し、且つ該複数個のキャリアボードと該複数個のサポートボードを交差配列して設置する。各頂部固定パーツは順にその中の一つのキャリアボード、一つのサポートボード及び一つの座体を通す。それにより一種の構造強度が比較的高く、コストが低い、且つエコなパレットを提供する。
【０００３】
この種のパレットは上述のメリットを有するが、尚も不足する点がある。
【０００４】
１、ネジを使って組立を行う必要がある：
この種類の組立方法では、組み立てる過程に大量の時間を費やしてネジを固定する必要がある。例え機械を使って製造できるとしても、ネジを固定する関連機械を購入するには、別途にコストがかかる。また、この種のパレットを使用していくうちに、局部に破損がある場合、露出したネジで人員が怪我をするなどの問題がある。
【０００５】
２、カスタマ化しにくい：
この種のパレットの製造過程が一定しているため、各キャリアボードの間隔、キャリアボードの数量など、いずれも決まっており、変更しにくい。
【０００６】
パレットは上述の欠点があることを鑑みて、更なる改善が必要であった。
【考案の概要】
【考案が解決しようとする課題】
【０００７】
前記公知構造の欠点を解決するため、本考案は一種の組立式パレットの構造を提供することを主な課題とする。
【課題を解決するための手段】
【０００８】
公知構造の欠点を解決するために、本考案は組立式パレットの構造を提供するものであり、それに含まれるのは複数の直立板(桁)、複数のデッキボード、複数の第一コの字型連結パーツである。
【０００９】
複数の直立板(桁)１：
各直立板に沿って相反する二つの長い辺の縁部分にそれぞれ一つの横板を設け、各横板は長い辺に沿って互いに間隔を開けて複数の差込口グループを設ける。各差込み口グループはそれぞれ二つの切欠口を有し、各切欠口はそれぞれ各横板の短い辺に沿って互いに間隔を開けて設置する。
【００１０】
複数のデッキボード：
各デッキボードは長い辺に沿って互いに間隔を開けて複数の切欠槽を設け、且つ各切欠槽はそれぞれ各切欠槽の底壁を貫通する二つの穴を設ける。各穴はそれぞれ各デッキボードの短い辺に沿って互いに間隔を開けて設置する。
【００１１】
複数の第一コの字型連結パーツ：
各第一コの字型連結パーツの二つの相反する直立壁の底縁には、それぞれ一つのフックを設ける。各第一コの字型連結パーツは適切な各穴に挿入するものであり、各フックはそれぞれ各切欠口の縁を引っ掛ける。
【００１２】
本考案は主にモジュール化生産を行うことで、ユーザーはニーズに基づき、任意に適切な数量のデッキボード及び直立板をセレクトして組み立てることができる。組み立てる過程において、各第一コの字型連結パーツを通じて、適切な各穴に挿入することで、各フックをそれぞれ各切欠口の縁に引っ掛けて、任意に自身のニーズに見合うパレットを組み立てることができる。また、組み立てる過程において、ネジ、釘を使用する必要がないため、本考案をどのように使用しても、ネジ、釘が露出する問題が発生することがない。この他、うちの一つの直立板或いは一つのデッキボードに破損がある場合、モジュール化生産であるため、一つの真新しい部品に取って変わることができ、全て交換する必要がなく、エコ及びコスト節約の効果を有する。
【考案の効果】
【００１３】
本考案の設計により、ネジ、釘を使って組み立てる必要がないため、使用しているうちにネジ、釘が露出する問題が発生しない。この他、うちの一つの直立板或いは一つのデッキボードに破損がある場合、モジュール化生産であるため、壊れた部分のみを交換できるため、エコ及びコスト節約の効果を有する。
【図面の簡単な説明】
【００１４】
【図１】本考案の立体図である。
【図２】本考案の局部拡大図である。
【図３】本考案の組立略図である。
【図４】本考案の組立局部断面略図一である。
【図５】本考案の組立局部断面略図二である。
【図６】本考案の別の組立局部断面略図一である。
【図７】本考案の別の組立局部断面略図二である。
【図８】本考案の更に別の局部断面略図一である。
【図９】本考案の更に別の局部断面略図二である。
【図１０】本考案の第一コの字型連結パーツの別の実施例の略図である。
【考案を実施するための形態】
【００１５】
以下、本考案の構造と特徴および効果を、最良実施例と図面を参照しながら詳細に説明する。
【実施例１】
【００１６】
図１に示すように、本考案は主に一種の組立式パレットの構造に関し、ユーザーが購入後にニーズに基づき組立を行うことができる。またはメーカーにモジュール化設計を提供し、ネジを使わない構造を通じて、製造過程をスピードアップすることができる。該組立式パレットに含まれるのは、複数の直立板(桁)１、複数のデッキボード２、複数の第一コの字型連結パーツ３である。
【００１７】
複数の直立板(桁)１：
図３及び図４に示すように、各直立板１に沿って相反する二つの長い辺の縁部分にそれぞれ一つの横板１１を設け、各横板１１は長い辺に沿って互いに間隔を開けて複数の差込口グループ１２を設ける。各差込み口グループ１２はそれぞれ二つの切欠口１２１を有し、各切欠口１２１はそれぞれ各横板１１の短い辺に沿って互いに間隔を開けて設置する。
【００１８】
複数のデッキボード２：
図３及び図４に示すように、各デッキボード２は長い辺に沿って互いに間隔を開けて複数の切欠槽２１を設け、且つ各切欠槽２１はそれぞれ各切欠槽２１の底壁を貫通する二つの穴２２を設ける。各穴２２はそれぞれ各デッキボード２の短い辺に沿って互いに間隔を開けて設置する。
【００１９】
複数の第一コの字型連結パーツ３：
図３及び図４、図５を合わせて、或いは図８を図９と合わせて示すように、各第一コの字型連結パーツ３の二つの相反する直立壁の底縁には、それぞれ一つのフック３１を設ける。各第一コの字型連結パーツ３は適切な各穴２２に挿入するものであり、各フック３１はそれぞれ各切欠口１２１の縁を引っ掛ける。また、該フック３１の実施形態は図１０に示すようにすることもできる。
【００２０】
図１及び図２に示すように、本考案の構造を通じて、ユーザーはニーズに基づき任意にデッキボード２の数量及び位置を調整することができ、それにより比較的大きな積載面積のパレットを得ることができる。また、或いはデッキボード２の距離及び数量を調整し、更に各直立板１の数量及び間隔により、比較的最良の積載量を有するパレットを作ることができる。また、パレットを使用する際、最も外側に位置するデッキボード２が破損しやすいため、本考案のモジュール化設計を通じて、一本のデッキボード２が破損した際には、直ちに別の新しいデッキボード２に交換することができ、パレットごと破棄する必要がなく、同じく、一つの直立板１が破損した際も、同じように処置することができる。同時に、組み立てる過程において、ネジ、釘を使用する必要がないため、本考案を一時期使用した後でも、パレットは破損により鉄の釘、ネジが露出することがないため、使用する際の安全性をアップすることができる。
【００２１】
また、図３及び図６、図７に示すように、各第一コの字型連結パーツ３と各直立板１の間の連結の安定性を強化するために、本考案で更に実施できることは：各第一コの字型連結パーツ３の相反する二つの外側にそれぞれ一つの第一掛合部品３２を設ける。更に複数の第二コの字型連結パーツ４を設け、各第二コの字型連結パーツ４の内縁は各第一コの字型連結パーツ３の外縁と互いに対応し、且つ各第二コの字型連結パーツ４と相反する二つの直立壁の内側にそれぞれ一つの第二掛合部品４１を設け、各第二コの字型連結パーツ４は適切な各穴２２に挿入することができ、それにより各第二コの字型連結パーツ４をそれぞれ各第一コの字型連結パーツ３の外側に套設することで、各第一掛合部品３２と各第二掛合部品４１が掛合を形成する。
【００２２】
このように、該第一コの字型連結パーツ３が外力の影響を受けて該直立板１から離脱する場合、該第二コの字型連結パーツ４によって制限されて離脱しにくくなるため、全体の連結を強化する効果を有する。
【００２３】
ユーザーが該デッキボード１を交換しやすいよう、図６及び図７に示すように、本考案が更に実施できることは：各フック３１を該直立板１の縁辺に向け、及び各第二コの字型連結パーツ４の直立壁を該直立板１の底縁に向け、それぞれ一つのアーク縁３３、４２にする。該アーク縁３３、４２の構造によりユーザーは軽々と該第二コの字型連結パーツ４、或いは該第一コの字型連結パーツ３を外すことができる。
【００２４】
更に図３に示すように、本考案の各直立板１の最良実施例は、長い辺の片側にそれぞれ互いに間隔を開けて二本の棒状孔１２を設ける。このようにすれば、例えばフォークリフトのフォークを前後左右など四つの方向から本考案のパレットに挿入することができ、それにより本考案のパレットはもっと使い易くなる。
【００２５】
更に図１及び図３に示すように、本考案の組み立てた後のパレットに、比較的高い強度を持たせ、全体の使用期間を延ばすために、本考案が更に実施できることは：各直立板１の最良実施例はそれぞれ短い辺に沿って互いに間隔を開けて一つの第一強化リブ１４を設ける。また、各棒状孔１３の孔縁に一つの第二強化リブ１５を設ける。
【００２６】
上記は本考案の一つの最良実施例であり、本技術に熟知する者は、固定構造の変更などの適当な変更および調整を行うことができ、これらの変更および調整を行っても本考案の重要な意義は失われず、本考案の範囲に含まれる。
【符号の説明】
【００２７】
１  直立板
１１  横板
１２  差込口グループ
１２１  切欠口
１３  棒状孔
１４  第一強化リブ
１５  第二強化リブ
２  デッキボード
２１  切欠槽
２２  穴
３  第一コの字型連結パーツ
３１  フック
３２  第一掛合部品
３３  アーク縁
４  第二コの字型連結パーツ
４１  第二掛合部品
４２  アーク縁
【図１】
0003228552.tif 000003
【図２】
0003228552.tif 000004
【図３】
0003228552.tif 000005
【図４】
0003228552.tif 000006
【図５】
0003228552.tif 000007
【図６】
0003228552.tif 000008
【図７】
0003228552.tif 000009
【図８】
0003228552.tif 000010
【図９】
0003228552.tif 000011
【図１０】
0003228552.tif 000012